(57)【要約】【課題】再生信号の被試験受信機へ出力と映像信号の表示装置への出力とを安価な構成で正確に同期させて再生することができる信号記録再生装置を提供する。【解決手段】データ再生制御装置４により、Ｄ／Ａ変換部６でＤ／Ａ変換された再生信号１２を被試験受信機８側に出力して再生を行う際に、映像再生制御装置５は、データ再生制御装置４から入力される制御信号１４に基づいて、再生信号１２に対応した映像信号１５を表示装置７に出力して再生するよう制御するとともに、Ｄ／Ａ変換部６から入力される再生タイミング信号１６により、再生信号１２と映像信号１５との同期を制御する。【選択図】図１
2007189586.tif 000002
【特許請求の範囲】
【請求項１】
アナログ／デジタル変換された、実環境で受信された無線周波数信号と該無線周波数信号を受信した受信位置情報とを少なくとも含む収録データを記録する収録データ記録手段と、
前記無線周波数信号の受信時に収録された、該無線周波数信号の受信位置周辺の映像データを記録する映像データ記録手段と、
前記収録データ記録手段に記録された前記収録データを読み出し、被試験受信機に対して前記無線周波数信号に応じた再生信号を再生させるための制御を行う第１の制御手段と、
前記第１の制御手段から出力される、前記収録データに応じた再生データをデジタル／アナログ変換するデジタル／アナログ変換手段と、
前記映像データ記録手段に記録された前記映像データを読み出し、該映像データに応じた映像信号を表示手段に出力して再生させるための制御を行う第２の制御手段と、を備え、
前記第１の制御手段により、前記デジタル／アナログ変換手段でデジタル／アナログ変換された前記再生信号を前記被試験受信機側に出力して再生を行う際に、前記第２の制御手段は、前記第１の制御手段から入力される制御信号に基づいて、前記再生信号に対応した映像信号を前記表示手段に出力して前記無線周波数信号の受信位置の周辺映像を再生するよう制御するとともに、前記デジタル／アナログ変換手段から入力される再生タイミング信号により、前記再生信号と前記映像信号との同期を制御する、
ことを特徴とする信号記録再生装置。
【請求項２】
前記収録データおよび前記映像データは、実環境で移動する車両により収録されたデータである、
ことを特徴とする請求項１に記載の信号記録再生装置。
【発明の詳細な説明】
【技術分野】
【０００１】
本発明は、実環境下での電波環境を実験室等の室内で再現性よく再現するための信号記録再生装置に関する。
【背景技術】
【０００２】
ＡＭ放送やＦＭ放送の放送周波数を含む放送信号を受信する放送受信機を開発する場合、放送受信機の放送受信検証等の性能評価は重要である。
【０００３】
特に車載用放送受信機では、移動環境（不安定な受信環境）下での性能評価、いわゆるフィールド試験が重要となる。車載用放送受信機のフィールド試験では、その準備と実施に多大な時間と労力を必要とすることにより、効率よく性能評価を行うことが難しかった。また、同一の移動環境下で繰り返しフィールド試験を行う場合には、多大な時間を要し、かつ、再現性のある受信状態を得ることが難しかった。
【０００４】
このため、車載用放送受信機が利用される実環境（フィールド）で放送信号を受信して記録し、記録した放送信号を室内で再生して、実際の電波環境を再現する装置が提案されている（例えば、特許文献１）。
【０００５】
前記特許文献１の装置（電波環境シミュレータ）を用いることにより、移動環境における実際の電波環境を室内で再現することができ、かつ、何度でも同じ電波環境を再現して車載用放送受信機の性能評価を行うことができる。
【０００６】
ところで、前記特許文献１のような装置（電波環境シミュレータ）では、放送信号のみを記録しているだけなので、放送信号を受信しているときの周囲の地形や建物等の環境を把握することができず、車載用放送受信機の性能評価を行うときに、例えば、受信状態の悪化などの様々な現象がどのような地形や建物等の環境で発生したかが分からないという問題があった。
【０００７】
そこで、従来より、例えば図３や図４に示すような信号記録再生装置が提案されている。
【０００８】
図３に示す信号記録再生装置１００は、記録装置１０１、制御装置１０２、表示装置１０３およびＤ／Ａ（デジタル／アナログ）変換装置１０４を備えており、記録装置１０１には、移動環境で受信した放送信号とその受信した受信位置情報とを記録した収録データと、前記放送信号の受信位置の周辺映像を記録した映像データとが記録されている。
【０００９】
この信号記録再生装置１００の動作について説明する。先ず、記録装置１０１から記録している収録データ１１０が制御装置１０２に読み込まれる。そして、制御装置１０２から転送データ１１３としてＤ／Ａ変換装置１０４の記録装置１０５に転送される。
【００１０】
記録装置１０１から全ての収録データ１１０が、転送データ１１３としてＤ／Ａ変換装置１０４の記録装置１０５に転送されると、制御装置１０２は、転送データ１１３（放送信号データ）の再生をＤ／Ａ変換装置１０４に制御信号１１４として指示する。そして、Ｄ／Ａ変換装置１０４では、Ｄ／Ａ変換装置１０４の記録装置１０５から再生データ１１５をＤ／Ａ変換し、再生信号１１６として被試験受信機（車載用放送受信機）１０７へ出力する。
【００１１】
そして、被試験受信機１０７への再生信号１１６の出力タイミングに合わせて、制御装置１０２は、記録装置１０１から映像データ１１１を読み出し、映像信号１１２として表示装置１０３に出力して映像を表示する。
【００１２】
一方、図４に示す信号記録再生装置２００は、２つの記録装置２０１，２０２、高速データ転送部２０３、制御装置２０４、Ｄ／Ａ変換部２０５、および表示装置２０６を備えており、記録装置２０１には、移動環境で受信した放送信号とその受信した受信位置情報とを記録した収録データが記録され、記録装置２０２には、前記放送信号の受信位置の周辺映像を記録した映像データが記録されている。
【００１３】
この信号記録再生装置２００の動作について説明する。先ず、制御装置２０４は、再生開始指示に合わせて制御信号２１２を高速データ転送部２０３とＤ／Ａ変換部２０５に出力する。この制御信号２１２を受け高速データ転送部２０３は、記録装置２０１から前記収録データ２１０を読み出し、再生データ２１３としてＤ／Ａ変換部２０５に出力する。Ｄ／Ａ変換部２０５では、この再生データ２１３をＤ／Ａ変換し、再生信号２１５として被試験受信機（車載用放送受信機）２０７へ出力する。
【００１４】
この際、制御装置２０４は、前記制御信号２１２の出力タイミングに合わせて記録装置２０２から前記映像データ２１１を読み出し、映像信号２１４として表示装置２０６に出力して映像を表示する。
【特許文献１】特開平１１−１８３５４４号公報
【発明の開示】
【発明が解決しようとする課題】
【００１５】
ところで、前記図３に示した従来の信号記録再生装置１００では、制御装置１０２は、記録装置１０１に記録されている全ての収録データ１１０を転送データ１１３としてＤ／Ａ変換装置１０４の記録装置１０５に転送する。そのため、Ｄ／Ａ変換装置１０４の記録装置１０５は多くのメモリを必要とすることにより、Ｄ／Ａ変換装置１０４の記録装置１０５は高価なものとなる。また、再生できる放送信号データの量は、Ｄ／Ａ変換装置１０４の記録装置１０５のメモリの容量によって制限される。
【００１６】
また、前記図４に示した従来の信号記録再生装置２００では、記憶装置２０１に記録されている収録データ２１０を高速に読み出す高速データ転送部２０３を有している。よって、高速データ転送部２０３の高速のデータ読み出しに対応するため、記憶装置２０１は、周知のＳＣＳＩのＲＡＩＤ（Redundant Array of Inexpensive Disks）システムなどで構成される。そのため、高速データ転送部２０３および記憶装置２０１が高価なものとなる。また、再生信号２１５の被試験受信機２０７へ出力と、映像信号２１４の表示装置２０６への出力は正確な同期が取られておらず、長期間の再生では同期にずれが生じてしまう。
【００１７】
そこで、本発明は、再生信号の被試験受信機へ出力と映像信号の表示装置への出力とを安価な構成で正確に同期させて再生することができる信号記録再生装置を提供することを目的とする。
【課題を解決するための手段】
【００１８】
前記目的を達成するために、本発明に係る信号記録再生装置は、アナログ／デジタル変換された、実環境で受信された無線周波数信号と該無線周波数信号を受信した受信位置情報とを少なくとも含む収録データを記録する収録データ記録手段と、前記無線周波数信号の受信時に収録された、該無線周波数信号の受信位置周辺の映像データを記録する映像データ記録手段と、前記収録データ記録手段に記録された前記収録データを読み出し、被試験受信機に対して前記無線周波数信号に応じた再生信号を再生させるための制御を行う第１の制御手段と、前記第１の制御手段から出力される、前記収録データに応じた再生データをデジタル／アナログ変換するデジタル／アナログ変換手段と、前記映像データ記録手段に記録された前記映像データを読み出し、該映像データに応じた映像信号を表示手段に出力して再生させるための制御を行う第２の制御手段と、を備え、前記第１の制御手段により、前記デジタル／アナログ変換手段でデジタル／アナログ変換された前記再生信号を前記被試験受信機側に出力して再生を行う際に、前記第２の制御手段は、前記第１の制御手段から入力される制御信号に基づいて、前記再生信号に対応した映像信号を前記表示手段に出力して前記無線周波数信号の受信位置の周辺映像を再生するよう制御するとともに、前記デジタル／アナログ変換手段から入力される再生タイミング信号により、前記再生信号と前記映像信号との同期を制御することを特徴としている。
【００１９】
また、前記収録データおよび前記映像データは、実環境で移動する車両により収録されたデータであることを特徴としている。
【発明の効果】
【００２０】
本発明に係る信号記録再生装置によれば、デジタル／アナログ変換手段から被試験受信機に再生信号を出力する際に、デジタル／アナログ変換手段から第２の制御手段に出力される再生タイミング信号に基づいて、第２の制御手段から表示手段に出力される映像信号の出力タイミングを調整（制御）することにより、再生信号の被試験受信機への出力と、映像信号の表示手段への出力を、安価な構成で正確に同期させることが可能となる。
【発明を実施するための最良の形態】
【００２１】
以下、本発明を図示の実施形態に基づいて説明する。図１は、本発明の実施形態に係る信号記録再生装置を示す概略構成図である。
【００２２】
図１に示すように、本実施形態に係る信号記録再生装置１は、収録データ記録装置２、映像データ記録装置３、第１の制御手段としてのデータ再生制御装置４、第２の制御手段としての映像再生制御装置５、Ｄ／Ａ変換部６および表示装置７とを主構成部として備えている。
【００２３】
収録データ記録装置２には、Ａ／Ｄ（アナログ／デジタル）変換された、少なくとも実環境で受信された放送信号（無線周波数信号）とその放送信号を受信した受信位置情報（以下、放送信号と受信位置情報を含むデータを「収録データ」という）が記録され、映像データ記録装置３には、前記放送信号の受信位置の周辺映像を収録した映像データが記録されている。
【００２４】
前記放送信号は、例えば移動収録車両（不図示）により実環境（フィールド）で移動しながら受信し記録した、ラジオやテレビの放送局（放送アンテナ）から送信されている無線周波数信号である。また、前記移動収録車両は、不図示の広範囲を撮像可能なカメラとＧＰＳ（Global Positioning System）装置を備えており、放送信号の受信、記録と同時に、放送信号の受信位置の周辺映像と、放送信号の受信位置情報などを記録する。
【００２５】
このように、移動収録車両で記録したこれらの放送信号と受信位置情報などが収録データ記録装置２に収録データとして記憶され、前記放送信号の受信位置の周辺映像が映像データ記録装置３に映像データとして記憶されている。
【００２６】
データ再生制御装置４は、収録データ記録装置２から収録データ１０を読み出し、収録データ１０に応じた再生データ１１をＤ／Ａ変換部６に出力する。Ｄ／Ａ変換部６は、入力される再生データ１１をＤ／Ａ変換し、再生信号（放送信号）１２として被試験受信機（車載用放送受信機）８側に出力する。
【００２７】
映像再生制御装置５は、映像データ記録装置３から映像データ１３を読み出し、データ再生制御装置４から入力される制御信号１４に基づき、映像信号１５を表示装置７に出力する。また、映像再生制御装置５は、Ｄ／Ａ変換部６から入力される再生タイミング信号１６に基づいて、映像信号１５の表示装置７への出力タイミングを制御し、被試験受信機８への再生信号１２と、表示装置７への映像信号１５とを同期させる。
【００２８】
次に、本実施形態に係る信号記録再生装置１のデータ再生制御装置４、映像再生制御装置５による再生制御を、図２（ａ），（ｂ）に示したフローチャートを参照して説明する。なお、図２（ａ）は、データ再生制御装置４の再生制御を示すフローチャート、図２（ｂ）は、映像再生制御装置５の再生制御を示すフローチャートである。
〈データ再生制御装置４の再生制御；図２（ａ）〉
収録データ記録装置２には、移動収録車両（不図示）により実環境（フィールド）で記録した前記収録データが格納されており、データ再生制御装置４は、収録データ記録装置２から収録データ１０を読み出すと、その再生ファイル名を設定し（ステップＳ１；ＹＥＳ）、再生ファイルの再生開始と終了点を設定する（ステップＳ２）。なお、再生ファイル名が設定されていない場合（ステップＳ１；ＮＯ）には、ステップＳ１の前に戻る。
【００２９】
ステップＳ２で、データ再生制御装置４により再生ファイルの再生開始と終了点を設定すると、データ再生制御装置４から映像再生制御装置５に再生開始・終了点の設定信号としての制御信号１４を出力するとともに、Ｄ／Ａ変換部６に再生データ１１を出力する。そして、データ再生制御装置４は、再生データ１１がＤ／Ａ変換部６に入力されて再生を開始できる状態になると（ステップＳ３；ＹＥＳ）、映像再生制御装置５に再生開始指示信号としての制御信号１４を出力する（ステップＳ４）。
【００３０】
そして、Ｄ／Ａ変換部６は、入力される再生データ（収録データ）１１に基づいて映像再生制御装置５に再生タイミング信号１６を出力するとともに、被試験受信機８側に再生信号１２を出力して、被試験受信機８で再生を行う（ステップＳ５、Ｓ６）。ステップＳ６において、設定した再生終了点まで再生を行い（ステップＳ６；ＮＯ）、再生終了点になると再生を終了する（ステップＳ６；ＹＥＳ）。
〈映像再生制御装置５の再生制御；図２（ｂ）〉
映像データ記録装置３には、映像データ（移動収録車両（不図示）により実環境（フィールド）で記録した放送信号の受信位置の周辺映像）が収録されており、映像再生制御装置５は、データ再生制御装置４から入力される制御信号１４（図２（ａ）のステップＳ２）に基づいて、前記再生ファイルの再生開始と終了点を受信するとともに、映像ファイル名を受信する（ステップＳ１１）。
【００３１】
そして、映像再生制御装置５は、映像ファイル名を設定するとともに、その映像ファイルの再生開始と終了点を設定する（ステップＳ１２）。ステップＳ１２で、映像ファイルの再生開始と終了点が設定されると（ステップＳ１２；ＹＥＳ）、映像データ記録装置３から前記映像ファイル名に対応した映像データ１３を読み出し、再生開始点の頭出しを行う（ステップＳ１３）。なお、ステップＳ１２で、映像ファイルの再生開始と終了点が設定されていない場合（ステップＳ１２；ＮＯ）には、ステップＳ１１の前に戻る。
【００３２】
そして、映像再生制御装置５は、データ再生制御装置４から入力される制御信号１４（図２（ａ）のステップＳ４）に基づいて、表示装置７に映像信号１５を出力して、表示装置７で再生を開始する（ステップＳ１４）。
【００３３】
この際、映像再生制御装置５は、Ｄ／Ａ変換部６から入力される再生タイミング信号１６（図２（ａ）のステップＳ５）に基づいて、被試験受信機８側の再生と同期するように再生タイミングを調整（制御）して（ステップＳ１５）、表示装置７に映像を表示する。そして、設定した再生終了点まで再生を行い（ステップＳ１６；ＮＯ）、再生終了点になると再生を終了する（ステップＳ１６；ＹＥＳ）。
【００３４】
このように、本発明の実施形態に係る信号記録再生装置１によれば、実環境（フィールド）で記録した放送信号（収録データ）は収録データ記録装置２に記録して、そのときの周辺映像を映像データ記録装置３に記録し、データ再生制御装置４により、被試験受信機８に対して収録データ１０に応じた再生データ１１（再生信号１２）を再生させるための制御を行うとともに、映像再生制御装置５により、映像データ１３に応じた映像信号１５を表示装置７に表示させるための制御を行うことにより、収録データ記録装置２と映像データ記録装置３に、記憶容量の大きい高価な専用の記録装置を用いることなく安価な記録装置を用いることが可能となる。
【００３５】
更に、Ｄ／Ａ変換部６から被試験受信機８に再生信号１２を出力する際に、Ｄ／Ａ変換部６から映像再生制御装置５に出力される再生タイミング信号１６に基づいて、映像再生制御装置５から表示装置７に出力される映像信号１５の出力タイミングを調整（制御）することにより、再生信号１２の被試験受信機８への出力と、映像信号１５の表示装置７への出力を正確に同期させることが可能となる。
【００３６】
これにより、実環境（フィールド）で記録された放送信号に応じた再生信号１１を被試験受信機８で再生する際に、前記放送信号と同時に記録した周辺映像の映像データを、安価な構成で正確に同期させて表示装置７で再生することができる。
【図面の簡単な説明】
【００３７】
【図１】本発明の実施形態に係る信号記録再生装置を示す概略構成図。
【図２】（ａ）は、本発明の実施形態に係る信号記録再生装置のデータ再生制御装置の再生制御を示すフローチャート、（ｂ）は、映像再生制御装置の再生制御を示すフローチャート。
【図３】従来例における信号記録再生装置の一例を示す概略構成図。
【図４】従来例における信号記録再生装置の一例を示す概略構成図。
【符号の説明】
【００３８】
１        信号記録再生装置
２        収録データ記録装置
３        映像データ記録装置
４        データ再生制御装置（第１の制御手段）
５        映像再生制御装置（第２の制御手段）
６        Ｄ／Ａ変換部（デジタル／アナログ変換手段）
７        表示装置（表示手段）
８        被試験受信機
【図１】
2007189586.tif 000003
【図２】
2007189586.tif 000004
【図３】
2007189586.tif 000005
【図４】
2007189586.tif 000006